(57)【要約】      （修正有）【課題】専用の洗濯かごを使わなくても、今ある物を使い心身の負担を軽減させ、洗濯かごを衛生的に使えるようにする。【解決手段】上方のフック部１から下方へ連なり水平状とする棒体部２とで成るフック体３の棒体部２には、上方の開口部を横断する取手５を有する洗濯かごを係着させるため、棒体部２に一辺を固定させた帯状体７で洗濯かごの取手５を包み込むように巻きつけ、帯状体７の他辺部を適当なる結合手段８にて着脱自在に帯状体７の周面上の一部分に係着させることを特徴とし、フック部１全体若しくは一部に、滑らず吊下げ周辺部を傷つけないように樹脂製体を囲繞させた保護材１６を備えたものを用い、物干し竿９や手摺に吊り下げることを可能とする洗濯かご吊り下げ保持具。【選択図】図１
2008302168.tif 000002
【特許請求の範囲】
【請求項１】
上方のフック部（１）から下方へ連なり水平状とする棒体部（２）とで成るフック体（３）の該棒体部（２）には、上方の開口部（４）を横断する取手（５）を有する洗濯かご（６）を係着させるために、上記棒体部（２）に一辺を固定させた帯状体（７）で上記洗濯かご（６）の取手（５）を包み込むように巻きつけ、該帯状体（７）の他辺部を適当なる結合手段（８）にて着脱自在に該帯状体（７）の周面上の一部分に係着させることを特徴とする上記フック体（３）を用い、物干し竿（９）や手摺に吊り下げることで洗濯物（１０）を干したり、取り込む作業を可能とする洗濯かご吊り下げ保持具。
【請求項２】
結合手段（８）を、帯状体（７）の他辺部近傍に設けた面ファスナー（１１）とした請求項１記載の洗濯かご吊り下げ保持具。
【請求項３】
結合手段（８）を、帯状体（７）の他辺部近傍に設けた固定用紐（１２）とした請求項１記載の洗濯かご吊り下げ保持具。
【請求項４】
棒体部（２）の一端部を曲折させたり、該一端部に細板体又は短棒体状のものを突起状に垂設した回動押圧部（１３）を設け、洗濯かご（６）の取手（５）を帯状体（７）にて包み込んだ使用状態において、該取手（５）と上記棒体部（２）とを共に握っている片手の指先にて該回動押圧部（１３）を押圧させることで、フック部（１）を上記洗濯かご（６）から上記棒体部（２）を軸として回動露出させるようにした請求項１乃至請求項３のいずれかに記載の洗濯かご吊り下げ保持具。
【請求項５】
フック部（１）から棒体部（２）まで連なる間に、適当なる伸縮調整手段を介在させ、上記フック部（１）から取手（５）までの長さを、伸縮調整できるようにした請求項１乃至請求項４のいずれかに記載の洗濯かご吊り下げ保持具。
【請求項６】
伸縮調整手段を、コイル状バネ（１４）とする請求項５記載の洗濯かご吊り下げ保持具。
【請求項７】
伸縮調整手段を、巻取り式機構（１５）とする請求項５記載の洗濯かご吊り下げ保持具。
【請求項８】
フック部（１）全体若しくは一部に、滑らず吊下げ周辺部を傷つけないように樹脂製体を囲繞させた保護材（１６）を備えた請求項１乃至請求項７のいずれかに記載の洗濯かご吊り下げ保持具。
【発明の詳細な説明】
【技術分野】
【０００１】  この発明は、洗濯物を干したり、取り込むとき腰、腕、脚などに、繰り返し行う作業で掛かる負担を、市販又は既存の洗濯かごを使って軽減すると共に、洗濯かごを地面や床に置いた時に倒れたり汚れることを防ぐ洗濯かご吊り下げ保持具である。
【背景技術】
【０００２】  洗濯物の出し入れの軽減を図るものは現実に少なく、専用的な大掛かりな装置がある位である。一般的には各々工夫して洗濯かごを載せる台を設けたり、体力に身を任せ辛抱強く行っている人が多く、身体の弱い者や年配者のためにも、今ある市販の洗濯かごを使い作業性を向上させる事の出来るものが必要に思われる。
そこで、先行技術を見ると、かごのことを篭や籠、カゴという表し方をしているが多少意味合いに違いはあるとしても、ここにおいては全てを「かご」と言い換えて説明する。【０００３】  洗濯かご自体に腰を曲げずに洗濯物を取り出せる高さを得るための台を装着した発明の名称「ランドリーバスケット」がある（例えば、特許文献１参照。）。【０００４】  専用のフック付き洗濯かごを使い物干し竿に吊るすことにより作業の負担を軽減させる発明の名称「洗濯籠」がある（例えば、特許文献２参照。）。【０００５】  専用のフック付き洗濯かごを使い干し場の手摺などに吊り下げることにより作業の負担を軽減させる考案の名称「篭体用係止装置」もある（例えば、特許文献３参照。）。【０００６】  物干し竿に固定したフックに既存の洗濯かごを吊るして、作業の負担を軽減させた発明の名称「洗濯物篭吊下げ具」もある（例えば、特許文献４参照。）。【０００７】  以上の４例は、いずれも洗濯かごを一定の高さに設けて作業することで、身体の負担軽減を目的にしている点は本発明とほぼ同じである。
【特許文献１】特開平８−３８３４２号公報（１頁、第１図、第３図）
【特許文献２】特開２００２−３１５９９４号公報（１頁、第１図、第２図）
【特許文献３】実開平５−８１０３５号公報（１頁、図１、第４図）
【特許文献４】特開平１０−２４１９８号公報（１頁、第１図）
【発明が解決しようとする課題】
【０００８】  上記の特許文献１〜特許文献３は、専用の洗濯かごを使うことにより作業の高さを確保している。この方法は前出の特許文献以外にも多くの同似のものが見受けられる。
しかし、この方法では今まで使っていた洗濯かごが使用できず無駄になってしまうことから、使用者としては既存品の有効利用をする方法が、より望ましく思われる。
【０００９】  更に、特許文献１のように洗濯干し場の地面に置く方法の場合、凸凹、傾斜、芝生、雨上がりなどの条件によって不安定になってしまう上に脚部が汚れてしまい、室内に持ち込んだ時に周辺を汚してしまう事が考えられる。
【００１０】  そして、特許文献４のように既存の洗濯かごを使うようにすると、大掛かりな装置を備えなくてはならなくなると共に、その限定の場所でしか作業が出来なくなってしまい不自由なものとなってしまっていた。
このような方法は前出の特許文献以外にも多くの同似のものが見受けられるが、どうしても作業場所が限られてしまい様々な場所で同じような作業を行う場合はその全ての場所に同じ装置を設けておかなければならなかった。
この発明は、これらの諸欠点を解消しようとするのが目的である。
【課題を解決するための手段】
【００１１】  先ず、この発明の基本的な構成を図面に基づき説明する。
使用時に、物干し竿９等に吊り下げるためのフック部１を上方として、そのフック部１から下方へ連なって重心的に水平状となる棒体部２とで形成してフック体３の骨格としている。そして、その棒体部２には、一辺を適当な手段で固定した帯状体７を設け、この帯状体７の他辺近傍に付けられた結合手段８である面ファスナー１１若しくは固定用紐１２で構成されたものを本発明の基本とする。
【００１２】  なお、図３や図７で示すように、フック体３全体若しくはフック部１を樹脂製体によって囲繞させた保護材１６を有したものとするのが好ましい。また、各図においては、保護材１６を複数の間隔を置いた楕円状の○で描いたが、それは便宜上であり、当然、厚めのテープ状体でフック部１に巻きつけたものでもよいし、図９のような弾性のあるパイプ体を嵌めたものなり、厚めの塗装コーティングしたものでもよく、それら適当な慣用手段を用いればよいことは云うまでもない。
【００１３】  図３と図７のように、フック体３自体やフック部１の形状や開口の向きは、目的に応じて変わってしまうのだが、図３のように洗濯かご６の全面開口部４の上方を通した取手５の横断部に係着させたフック体３を、物干し竿９に吊り下げるとき、この図３の場合はその物干し竿９に対し手で持っている取手５の部分とフック部１の間を通過させ吊り下げることになり、図７では直接フック部１を上記物干し竿９に吊り下げることになる。
このように、フック体３のフック部１を棒体部２の両端方向に対する開口の向きにより動作が異なるから、具体的にはそれなりに好ましい向きに設計すべきであろう。
【００１４】  更に、図５から図９のように、棒体部２自体の一端部を曲折させたり、細板体か短棒体を棒体部２の一端部に垂設させた突起状の回動押圧部１３を備えた方が望ましい。
このようにすると、両手を用いずとも取手５を持っているその片手の指先のみにてフック部１を上方へ露出させることができるのである。
【００１５】  ところで、棒体部２への回動押圧部１３の付加法は、フック部１の棒体部２に対する位置や開口の向きに応じて変わる。
すなわち、図５の場合は回動押圧部１３である細板体がフック部１の軸線に対して広角に傾斜して突起した回動押圧部１３としているから、帯状体７を握っている片手でこの図５の矢印の方向へ、その親指を使い下向きに押すことで、自重で下に向いているフック部１を回動させて上昇させることとなり、回動押圧部１３を押さずに、直接手でフック部１を持ち上げても同じ効果だが、前記の方法ならば片手で行えるという利点がある。
【００１６】  図８の場合は、図５とは逆に回動押圧部１３である細板体がフック部１の軸線に対して鋭角に傾斜して突起した回動押圧部１３としているから、この図８の矢印の方向へ小指を使い上方に引き上げることで、自重で下に向いているフック部１を回動させて上昇させることになるのである。即ち、この回動押圧部１３の設置方法によって使う指と力を掛ける向きが変わってくるところである。
【００１７】  更には、図１４乃至図１７のような伸縮手段を使い吊り下げ位置から洗濯かご６までの距離を変えることを可能にするのもよく、そうした構成例として、図１４と図１５はコイル状バネ１４を用い距離を変える手段とし、図１６と図１７は非弾性体を採用した例で、巻き取り式機構１５を用いて距離を変えられる構成としたものである。
なお、これら図１４乃至図１７は、伸縮手段の構成を説明するための単なる模式図であるから詳細な構成は全て省略したから本発明品の外観を表してはいない。
【発明の効果】
【００１８】  この発明は、市販又は既存の洗濯かご６を使い身体の負担を軽減すると共に、その洗濯かご２を地面や床に置いた時の転倒や汚れ付着を防止するものである。
すなわち、洗濯物１０の取り出しや取り込みの作業毎に腰、腕、脚の屈伸運動をしなくても物干し竿９の位置からフック体３を使い吊り下げた洗濯かご６の開口部４の位置が成人女性の平均的な胸下位になり、地面や床に洗濯かご６を置いて作業した時に比べて格段に心身の負担が減った。
【００１９】  それに、洗濯かご６を直接地面や床に置くことで、倒れてしまったり、洗濯かご６の下面が汚れてしまうといったことになることもなく、家の中にその洗濯かご６を持ち込んでも、床面や周りを汚す心配も無く衛生的に良くなった。
また、不使用時には帯状体７を棒体部２に巻きつけて仕舞っておけばよいが、洗濯かご６の取手５に帯状体７を巻きつけ固定しておくと、つけっ放しの状態になるので次回からは取り付ける手間が必要なくなり便利である。
【００２０】  更には、重い洗濯物１０の入った洗濯かご６を運ぶ際には、固い取手５を直接握って掌が痛くなりがちだが、本発明なら取手５は軟らかな帯状体７で覆われているから、当りが優しく痛くないという利点も生ずる。
【００２１】  そして、市販又は既存の洗濯かご６を使い得て吊り下げられる上に、大掛かりな装置を使ったり、吊り下げる場所を限定されることもなく、新たに専用の洗濯かご６を購入する必要もないので、エコロジーや経済的に好ましいと言える。
また、使用時状態において、棒体部２の一端部に回動押圧部１３を備えたものは、取手５と棒体部２とを一緒に握った片手のみの操作で、洗濯かご６内に落ち込んでいるフック部１を、棒体部２を軸として回動上昇させ洗濯かご６から容易に取り出すことができる。
【００２２】  更に、伸縮調整手段を設けたものであれば、背の高い人や低い人、物干し竿９などの吊り下げる場所が高い場合など個々の体格や洗濯干し場の環境などに合わせ、それぞれの作業しやすい高さを設定でき、身体の負担を軽減できるのでより好ましいと言える。
【発明を実施するための最良の形態】
【００２３】  この発明を実施するための最良の形態としては、フック体３に触れたものが傷ついたり滑らないようにするために、そのフック体３の全体若しくは一部を樹脂により囲繞させた保護材１６を有したものとし、そのフック体３のフック部１の形状は、フック体３を係着させた洗濯かご６を床などに置いたときに、自重で垂れ下がったフック体３やフック部１が標準的な大きさの洗濯かご６からはみ出さず、洗濯前の洗濯物１０や洗濯機から出した洗濯物１０を入れる時に邪魔にならない大きさと形であること。【００２４】  そして、使用時は取手５を持ち運んでいるときに握った手の邪魔にならない大きさと形が好ましく、特にフック部１のそれは、吊り下げるときに、物干し竿９をはじめ手摺、鴨居などにも吊り下げられる口径のものが好ましい。【００２５】  棒体部２には、図３や図７のように帯状体７の一辺を固定させ、その他辺近傍には結合手段８として面ファスナー１１の雄と雌を表裏の適所につける。他の結合手段８として固定用紐１２をつける方法も考えられるが縛った固定用紐１２が邪魔になり作業しづらいことを考慮すると面ファスナー１１が最良に思われる。【００２６】  しかも、洗濯かご６には取手５が１つとは限らず２つのものもあるから、棒体部２と共に取手５を２つ包んでも十分な長さの帯状体７であることが肝要であり、そこに設ける面ファスナー１１も同様である。
また、帯状体７の材質は、洗濯で濡れていて、しかも水を吸収しやすい綿、毛、布製品など重いものを扱い、また、外で使うことから金属系や樹脂系などの丈夫なものが好ましいと考えられるが、コスト面や様々な取手５の形状の対応を考えると、耐久、耐水、耐候性のある布製が好ましく思われる。【００２７】  更に利便性を加え、棒体部２の部分に前述した回動押圧部１３を備える方が好ましい。備える位置は、棒体部２の帯状体７を巻回する部分を避けるのは当然として、フック部１の棒体部２に対する位置や開口の向きによって変わってくるが、取手５を握っていて親指か人差し指、若しくは小指で押す動作をするのに邪魔にならない棒体部２の両端部のいずれかが好ましい位置となる。
本発明は以上の構成からなる洗濯かご吊り下げ保持具を以て最良の形態とする。
以下、使用法について説明する。【００２８】  不使用時には図１のように、帯状体７を棒体部２に巻きつけて仕舞っておけばよいが、洗濯専用であるから、図１や図２のように、洗濯かご６の取手５に帯状体７を巻きつけ面ファスナー１１で固定しておくと、つけっ放しの状態になるので次回からは取り付ける手間は必要なくなり便利である。【００２９】  洗濯かご６に洗濯物１０を入れ、取手５に巻いた帯状体７を握って運ぶときには、フック体３は自重で常時下向きに垂れて洗濯かご６内の洗濯物１０の上方にぶら下がっているか、洗濯物１０上に置かれていて邪魔にならない位置にある。勿論、洗濯物１０がないときは、空の洗濯かご６内に落ち込んでいることになる。【００３０】  そして、棒体部２を取手５と共に帯状体７で巻いた上を握っているから、握りを少し緩め、その握っている手指で回動押圧部１３を押圧すれば、棒体部２を回動するための中心軸役としてフック部１が回動し、上方へ洗濯かご６から露出して来るから、物干し竿９に吊り下げられやすい状態になる。【００３１】  フック体３を物干し竿９や手摺に吊り下げ洗濯物１０を出していき、近くに干し場が無くなったら、周辺の空いている干し場の物干し竿９や手摺に吊り下げ直せばよい。
洗濯物１０の取り込みの時は、上記の逆の行動をすることになる。そして洗濯かご６の収納時は本発明の洗濯かご吊り下げ保持具をつけたままにしても邪魔にならず問題ない。
【実施例１】
【００３２】  次は実施例１について図に基づき述べる。図１と図２は本発明の基本的な構成のものであって、図４の模式図のように、取手５を布製の帯状体７の部分で巻きつけ結合手段８として面ファスナー１１で固定させるもので示した。
その面ファスナー１１は、当然ながら、触ると痛い雄の鉤の方は内側になり、雌の鉤の方を表面側になるように配置することは言うまでもなかろう。【００３３】  なお、帯状体７を棒体部２に固定させる手段としては、布製の帯状体７の一辺を接着剤で貼着させるのが一般的である。ところが、帯状体７は、他の部分と比べて損傷しやすいから、交換頻度が高いものと思われる。
したがって、交換しやすいように、図示省略したが帯状体７の一辺を接着せずに、棒体部２を一周したところで棒体部２に平行状に帯状体７を縫い止める方法が好ましい。【００３４】  この縫い止めとは、一辺を輪状にした中に棒体部２が横たわっていて、そこから帯状体７が連なっていることであって、帯状体７を引っ張っても棒体部２から離れることはないが、当然、帯状体７は棒体部２を中にして回転が自在である。したがって、接着剤を用いないので交換しやすいことになる。すなわち、棒体部２が回転しても、本発明の場合は問題なく使用できる。その理由は、洗濯かご６の取手５を帯状体７にて包み込むときに、手指にて取手５を棒体部２に沿わせ、両者を強く握って固定させておいて、帯状体７をぐるぐると巻回するからである。【００３５】  なお、図１においては洗濯かご６の取手５を点線で表した。
市販又は既製品の洗濯かご６の取手５は１つと２つの場合があり、１つのときは特に問題がないので説明は省略し、全ての実施例で２つの場合の使用方法で説明する。
なお、実質的に前出にて説明済みのものは割愛した。【００３６】  フック体３を図１１のように、洗濯かご６に２つある取手５の場合では、帯状体７を巻きつけていないもう一方の取手５の下側にフック部１を潜らせて、両方の取手５が物干し竿９に吊り下げられる状態にするのである。
そのとき掛けた場所の状態によっては、フック体３のフック部１が滑ってしまうこともあるが、図１や図３に示すような保護材１６を有したフック部１ならば、保護材１６の摩擦力により滑らない上に、掛けた場所の損傷を防いで吊り下げられる効果が得られる。
実際の作業状態は図１３のようになり、取り込みの時は同じように物干し竿９に洗濯かご６を吊るした状態で洗濯物１０をその洗濯かご６に入れて行く。
全ての作業が終わった後、本発明の洗濯かご吊り下げ保持具は洗濯かご６から取り外す必要はないことは前述した。
ここまでを基本的な本発明の実地例１とする。
【実施例２】
【００３７】  実施例２は、図８のように、取手５を帯状体７の部分で巻きつけ、結合手段８として固定用紐１２で縛り固定させたものである。
フック体３を図１２に示すように、一方の取手５のみで物干し竿９に掛けると、実施例１に比べて少し揺れ易くなるが、洗濯かご６の開口部４が広がって取り出しやすい状態で吊り下げられるという利点を生ずる。
以降の作業内容は実施例１と同じである。ここまでを基本的な実地例２とする。
【実施例３】
【００３８】  実施例３は、フック部１から棒体部２まで連なる間に、伸縮調整手段を介在させたものであり、その伸縮調整手段としてコイル状バネ１４を用いたものである。
一般的な物干し場での普通の成人女性が作業するのなら問題ないが、物干し竿９の位置が高い環境や背の高い女性、背の低い女性、子供の場合などに洗濯かご６の位置が使いにくい場合は、図１４や図１５のようなコイル状バネ１４を使い長さが伸縮するものを用いれば特殊な状態にも対応できるようになる。
【実施例４】
【００３９】  実施例４は、実施例３と同じ目的であるが、伸縮調整手段として図１６や図１７のような巻取り式機構１５を使い長さの調整をするようにしたものである。
なお、図３に示した実施例は、回動押圧部１３の設置位置を、棒体部２から延長するフック部１の根元に配した他は実施例１に同じである。
以上詳記のように、簡単な構成の吊り具で、物干し時の身体屈伸を極力避け労力負担を減じることができ、しかも既存の洗濯かご６が使用できる大変便利な家庭用品である。
【図面の簡単な説明】
【００４０】
【図１】  この発明の基本的な構成を示す実施例の斜視図である。（実施例１）
【図２】  図１の実施例を、洗濯かごに係着させた状態で示す斜視図である。（実施例１・実施例２）
【図３】  この発明の基本的な構成を示す他の実施例で、回動押圧部を棒体部から延長するフック部の根元に配したものの正面図である。（実施例１）
【図４】  この発明の実施例の使用状態で、帯状体のみを主体として示す模式的な断面側面図である。（実施例１）
【図５】  図１の実施例を示す断面側面図である。（実施例１）
【図６】  図３と主要部を同じとした近似の実施例を示す斜視図である。（実施例１）
【図７】  この発明の基本的な構成にて他の結合手段を用いた実施例で正面図である。（実施例２）
【図８】  図５とは異なる設置向きの回動押圧部の実施例を示す断面図である。（実施例２）
【図９】  図７の実施例を示す斜視図である。（実施例２）
【図１０】  図３の実施例を使用状態で示す正面図である。（実施例１）
【図１１】  この発明の実施例を洗濯竿に吊るした使用状態で示す使用状況の正面図である。（実施例１）
【図１２】  図１１の状態から片方の取手を外した使用状態で示す使用状況の正面図である。（実施例２）
【図１３】  この発明の基本的な実施例を用いて物干し竿に吊るしている作業状態を示す使用状況の正面図である。（実施例１）
【図１４】  この発明の伸縮手段の通常時を示す正面図である。（実施例１・実施例２・実施例３）
【図１５】  図１４の伸縮手段の作動時を示す正面図である。（実施例１・実施例２・実施例３）
【図１６】  この発明の他の伸縮手段の通常時を示す正面図である。（実施例１・実施例２・実施例４）
【図１７】  図１６の伸縮手段の作動時を示す正面図である。（実施例１・実施例２・実施例４）
【符号の説明】
【００４１】    １  フック部
２  棒体部
３  フック体
４  開口部
５  取手
６  洗濯かご
７  帯状体
８  結合手段
９  物干し竿
１０  洗濯物
１１  面ファスナー
１２  固定用紐
１３  回動押圧部
１４  コイル状バネ
１５  巻取り式機構
１６  保護材
【図１】
2008302168.tif 000003
【図２】
2008302168.tif 000004
【図３】
2008302168.tif 000005
【図４】
2008302168.tif 000006
【図５】
2008302168.tif 000007
【図６】
2008302168.tif 000008
【図７】
2008302168.tif 000009
【図８】
2008302168.tif 000010
【図９】
2008302168.tif 000011
【図１０】
2008302168.tif 000012
【図１１】
2008302168.tif 000013
【図１２】
2008302168.tif 000014
【図１３】
2008302168.tif 000015
【図１４】
2008302168.tif 000016
【図１５】
2008302168.tif 000017
【図１６】
2008302168.tif 000018
【図１７】
2008302168.tif 000019